(57)【要約】【課題】簡単な構成でありながら、折畳んだ運搬容器の段積みを、左右方向、前後方向ともに十分な位置ずれ防止状態で行える折畳み自在な運搬容器を提供する。【解決手段】底枠体１上に対して左右一対の側枠体３を折畳み自在に設け、底枠体１の下部両側には、起立させた側枠体３の上部に上方から嵌合自在な脚体１７を設けた。側枠体３の下部に、内方向へ直角状に伸びる連結体１０を設け、連結体１０の内端部分１３を底枠体１側に対して回動自在に連結した。側枠体３の下部から、起立時に底枠体１の側面外方に位置しかつ横倒時に脚体１７の上方から前後にずれて位置する規制体１５を連設した。下位の運搬容器における規制体に対する上位の運搬容器における脚体の当接により、前後方向の位置ずれを阻止できる。下位の運搬容器における側枠体に対する上位の運搬容器における脚体の当接により、左右方向の位置ずれを阻止できる。連結体と規制体とを設けた簡単な構成でありながら、折畳んだ運搬容器の段積みを、左右方向、前後方向ともに十分な位置ずれ防止状態で安定して行える。【選択図】図１
2005067688.tif 000002
【特許請求の範囲】
【請求項１】
底枠体上に対して左右一対の側枠体を折畳み自在に設けるとともに、底枠体の下部両側には、起立させた側枠体の上部に上方から嵌合自在な脚体を設け、前記側枠体の下部に、内方向へ直角状に伸びる連結体を設けるとともに、この連結体の内端部分を底枠体側に対して回動自在に連結し、前記側枠体の下部から、起立時に底枠体の側面外方に位置しかつ横倒時に脚体の上方から前後にずれて位置する規制体を連設したことを特徴とする折畳み自在な運搬容器。
【請求項２】
底枠体の下部両側には、それぞれ前後一対の脚体を設け、規制体を、横倒時に前後の脚体の上方から前後の内側にずれて位置させたことを特徴とする請求項１記載の折畳み自在な運搬容器。
【請求項３】
規制体を、前後一対に設けたことを特徴とする請求項２記載の折畳み自在な運搬容器。
【請求項４】
連結体を、側枠体の下部に連結される縦板部と、この縦板部の下部から内方向へ直角状に曲げ連設された横板部とにより形成し、横板部の内端部分を底枠体側に対して回動自在に連結したことを特徴とする請求項１〜３のいずれか１項に記載の折畳み自在な運搬容器。
【請求項５】
起立させた側枠体の前部間に着脱自在な前枠体と、起立させた側枠体の後部間に着脱自在な後枠体とを設けたことを特徴とする請求項１〜４のいずれか１項に記載の折畳み自在な運搬容器。
【発明の詳細な説明】
【技術分野】
【０００１】
本発明は、たとえば物品を収納した状態でフォークリフトなどで取り扱われる折畳み自在な運搬容器に関するものである。
【背景技術】
【０００２】
従来、この種の折畳み自在な運搬容器としては、底枠上に起立自在な左右一対の側枠を設け、これら側枠は、その前後縁部から相対向する方向に折曲した折り曲げ部を一体に有している。前部の折り曲げ部間に位置自在な前枠は第１連結具を介して上下に中折れ自在で、その下部を底枠に、第２連結具を介して起立横倒自在に連結し、後部の折り曲げ部間に位置自在な後枠の側縁を後部の折り曲げ部に第３連結具を介して連結して、後枠に対して両側枠を左右揺動自在に構成している。そして、後枠を底枠に第４連結具を介して起立横倒自在に連結している。さらに、底枠の下部に脚体を垂設し、この脚体は、下位運搬容器の底枠上で折畳んだ枠群の両側外方に上位運搬容器の脚体を載置自在として構成している。
【０００３】
この従来構成によると、折畳んだ運搬容器の段積みは、下位の運搬容器における底枠の上に上位の運搬容器の脚体を載置させることで、振動荷重で要部が変形することなく安定して行うことができる。さらに段積み時には、下位の運搬容器の折畳んだ枠群の両側外方に上位の運搬容器の脚体が位置することから、上位の運搬容器の横方向（左右方向）での位置ずれを、枠群に対する脚体の当接により阻止できる。これにより、折畳み状態での段積み時に、上位の運搬容器が横方向で位置ずれすることを防止でき、以て横方向の振動に対しても安定した段積みを維持できることになる（たとえば、特許文献１参照。）。
【特許文献１】特開平６−５６１９０号公報（第１−２頁、第４−９図）
【特許文献２】特開２０００−５３１３２号公報
【特許文献３】特開２０００−２８９７４２号公報
【発明の開示】
【発明が解決しようとする課題】
【０００４】
しかし上記した従来構成によると、上位運搬容器の横方向（左右方向）での位置ずれは好適に防止できるが、前後方向の位置ずれ防止に対しては十分とは言えない。また、底枠に対して側枠を起立、横倒させる構成は複雑になっている。しかも、折畳んだ運搬容器の段積みは、位置合わせなどから容易に行えない。
【０００５】
そこで本発明の請求項１記載の発明は、簡単な構成でありながら、折畳んだ運搬容器の段積みを、左右方向、前後方向ともに十分な位置ずれ防止状態で行える折畳み自在な運搬容器を提供することを目的としたものである。
【課題を解決するための手段】
【０００６】
前述した目的を達成するために、本発明の請求項１記載の折畳み自在な運搬容器は、底枠体上に対して左右一対の側枠体を折畳み自在に設けるとともに、底枠体の下部両側には、起立させた側枠体の上部に上方から嵌合自在な脚体を設け、前記側枠体の下部に、内方向へ直角状に伸びる連結体を設けるとともに、この連結体の内端部分を底枠体側に対して回動自在に連結し、前記側枠体の下部から、起立時に底枠体の側面外方に位置しかつ横倒時に脚体の上方から前後にずれて位置する規制体を連設したことを特徴としたものである。
【０００７】
したがって請求項１の発明によると、底枠体上に横倒させた状態の側枠体を、連結体を介して起立させて規制体を底枠体の側面外方に位置させることで、使用可能な運搬容器を組み立て得る。そして運搬容器は、脚体を介して着地し得、さらにフォークリフトにより運搬し得る。また、下位の運搬容器における側枠体の上部に、上位の運搬容器における脚体を上方から嵌合させることで、順次複数段に積上げを行える。その際に下位の運搬容器は、側枠体を介して上位の運搬容器の荷重を支持する。
【０００８】
このような運搬容器の折畳みは、連結体の内端部分を支点として両側枠体を内方に回動させて、底枠体上に重ねることで行える。このとき連結体は、内端部分を最外端とした状態になり、以て底枠体の端部上方を開放し得る。また連結体と一体に移動した規制体は、開放された底部材の端部上方に位置している。このようにして折畳んだ運搬容器は、下位の運搬容器における開放された底枠体の端部上に上位の運搬容器における脚体を載置させることで、順次積上げ得る。
【０００９】
その際に、下位の運搬容器における規制体に対して上位の運搬容器における脚体を前後にずれた状態で載置し得る。したがって積上げ状態において、下位の運搬容器に対して上位の運搬容器が前後方向で位置ずれしようとしたとき、下位の運搬容器における規制体に対する上位の運搬容器における脚体の当接により、その前後方向の位置ずれを阻止し得る。さらに、下位の運搬容器における折畳んだ側枠体の左右外側に上位の運搬容器における脚体が位置された状態で載置し得る。したがって積上げ状態において、下位の運搬容器に対して上位の運搬容器が左右方向での位置ずれしようとしたとき、下位の運搬容器における側枠体に対する上位の運搬容器における脚体の当接により、その左右方向の位置ずれを阻止し得る。
【００１０】
また本発明の請求項２記載の折畳み自在な運搬容器は、上記した請求項１記載の構成において、底枠体の下部両側には、それぞれ前後一対の脚体を設け、規制体を、横倒時に前後の脚体の上方から前後の内側にずれて位置させたことを特徴としたものである。
【００１１】
したがって請求項２の発明によると、折畳んだ運搬容器を、下位の運搬容器における開放された底枠体の端部上に上位の運搬容器における脚体を載置させることで、順次積上げ得る際に、下位の運搬容器における両規制体の外側に上位の運搬容器における脚体を位置させた状態で載置し得る。したがって積上げ状態において、下位の運搬容器に対して上位の運搬容器が前後方向で位置ずれしようとしたとき、下位の運搬容器における規制体の外面に対する上位の運搬容器における脚体の当接により、その前後方向の位置ずれを阻止し得る。
【００１２】
また折畳んだ運搬容器を順次積上げるに際し、左右の脚体間のスペースにフォークリフトのフォークを作用させ、このフォークを介して上位の運搬容器を、その先行側を上位として傾斜させた状態で、下位の運搬容器の上方で前進させる。すると、先行側の上位の脚体は下位の運搬容器における規制体の上方を通過するが、後続側の下位の脚体は下位の運搬容器における規制体に当接し、以て下位の運搬容器に対して上位の運搬容器を位置決めし得る。この状態でフォークを介して上位の運搬容器を水平状に戻し、そしてフォークを下降させることで、上位の運搬容器を、その脚体を介して積上げ得る。
【００１３】
そして本発明の請求項３記載の折畳み自在な運搬容器は、上記した請求項２記載の構成において、規制体を、前後一対に設けたことを特徴としたものである。
したがって請求項３の発明によると、規制体を簡単かつ容易に配設し得る。
【００１４】
さらに本発明の請求項４記載の折畳み自在な運搬容器は、上記した請求項１〜３のいずれか１項に記載の構成において、連結体を、側枠体の下部に連結される縦板部と、この縦板部の下部から内方向へ直角状に曲げ連設された横板部とにより形成し、横板部の内端部分を底枠体側に対して回動自在に連結したことを特徴としたものである。
【００１５】
したがって請求項４の発明によると、底枠体上に横倒させた状態の側枠体を、連結体を介して起立させて、横板部の下面を底枠体上に上方から当接させることで、使用可能な運搬容器を組み立て得る。このような組み立て状態において運搬容器は、連結体の横板部を底枠体上に当接させていることで、側枠体の起立姿勢は好適に維持し得る。
【００１６】
しかも本発明の請求項５記載の折畳み自在な運搬容器は、上記した請求項１〜４のいずれか１項に記載の構成において、起立させた側枠体の前部間に着脱自在な前枠体と、起立させた側枠体の後部間に着脱自在な後枠体とを設けたことを特徴としたものである。
【００１７】
したがって請求項５の発明によると、底枠体に対して側枠体を起立させたのち、前枠体と後枠体を側枠体の前後端部間に着装させることで、運搬容器を組み立て得る。また運搬容器の折畳みは、まず側枠体間から前枠体や後枠体を分離させ、次いで、連結体の内端部分を支点として両側枠体を内方に回動させて底枠体上に重ねることで行える。なお、側枠体間から離脱させた前枠体や後枠体は、別個に積上げ得る。
【発明の効果】
【００１８】
上記した本発明の請求項１によると、底枠体上に横倒させた状態の側枠体を、連結体を介して起立させて規制体を底枠体の側面外方に位置させることで、使用可能な運搬容器を組み立てることができ、このとき規制体は、底枠体の側面外方に位置していることで、見栄えがよく、かつ他物と引っ掛かり難い位置にできる。そして下位の運搬容器における側枠体の上部に、上位の運搬容器における脚体を上方から嵌合させることで、順次複数段に積上げを行うことができ、その際に下位の運搬容器は、側枠体を介して上位の運搬容器の荷重を支持するのであり、このとき側枠体は、連結体の存在により安定した起立姿勢にでき、積上げによる支持は好適に行うことができる。
【００１９】
上記のような運搬容器の折畳みは、連結体の内端部分を支点として両側枠体を内方に回動させて、底枠体上に重ねることで行うことができ、このとき連結体は、内端部分を最外端とした状態になり、以て底枠体の端部上方を開放できる。また連結体と一体に移動した規制体は、開放された底部材の端部上方に位置できる。
【００２０】
このようにして折畳んだ運搬容器は、下位の運搬容器における開放された底枠体の端部上に上位の運搬容器における脚体を載置させることで、順次積上げることができ、その際に、下位の運搬容器における規制体に対して上位の運搬容器における脚体を前後にずれて載置できる。したがって積上げ状態において、下位の運搬容器に対して上位の運搬容器が前後方向で位置ずれしようとしたとき、下位の運搬容器における規制体に対する上位の運搬容器における脚体の当接により、その前後方向の位置ずれを阻止できる。さらに、下位の運搬容器における折畳んだ側枠体の左右外側に上位の運搬容器における脚体が位置された状態に載置できる。したがって積上げ状態において、下位の運搬容器に対して上位の運搬容器が左右方向での位置ずれしようとしたとき、下位の運搬容器における側枠体に対する上位の運搬容器における脚体の当接により、その左右方向の位置ずれを阻止できる。
【００２１】
これらのことにより、連結体と規制体とを設けた簡単な構成でありながら、折畳んだ運搬容器の段積みを、左右方向、前後方向ともに十分な位置ずれ防止状態で安定して行うことができる。
【００２２】
また上記した本発明の請求項２によると、折畳んだ運搬容器を、下位の運搬容器における開放された底枠体の端部上に上位の運搬容器における脚体を載置させることで、順次積上げ得る際に、下位の運搬容器における両規制体の外側に上位の運搬容器における脚体を位置させて載置できる。したがって積上げ状態において、下位の運搬容器に対して上位の運搬容器が前後方向で位置ずれしようとしたとき、下位の運搬容器における規制体の外面に対する上位の運搬容器における脚体の当接により、その前後方向の位置ずれを阻止できる。
【００２３】
さらに折畳んだ運搬容器を順次積上げるに際し、左右の脚体間のスペースにフォークリフトのフォークを作用させ、このフォークを介して上位の運搬容器を、その先行側を上位として傾斜させた状態で、下位の運搬容器の上方で前進させることによって、先行側の上位の脚体は下位の運搬容器における規制体の上方を通過するが、後続側の下位の脚体は下位の運搬容器における規制体に当接し、以て下位の運搬容器に対して上位の運搬容器を位置決めできる。この状態でフォークを介して上位の運搬容器を水平状に戻し、そしてフォークを下降させることで、上位の運搬容器を、その脚体を介して積上げることができる。このような操作によって、下位の運搬容器に対して上位の運搬容器を容易に位置決めして積上げることができる。
【００２４】
そして上記した本発明の請求項３によると、規制体を簡単かつ容易に配設できる。
さらに上記した本発明の請求項４によると、底枠体上に横倒させた状態の側枠体を、連結体を介して起立させて、横板部の下面を底枠体上に上方から当接させることで、使用可能な運搬容器を組み立てることができる。このような組み立て状態において運搬容器は、連結体の横板部を底枠体上に当接させていることで、側枠体の起立姿勢は好適に維持できる。
【００２５】
しかも上記した本発明の請求項５によると、底枠体に対して側枠体を起立させたのち、前枠体と後枠体を側枠体の前後端部間に着装させることで、運搬容器を組み立てることができる。また運搬容器の折畳みは、まず側枠体間から前枠体や後枠体を分離させ、次いで、連結体の内端部分を支点として両側枠体を内方に回動させて底枠体上に重ねることで行うことができる。
【発明を実施するための最良の形態】
【００２６】
［実施の形態］
以下に、本発明の実施の形態を、図に基づいて説明する。
図１〜図４において、底枠体１は、左右一対の前後材１Ａと、これら前後材１Ａの相対向した内面間を連結する前後３本（前後複数本）の左右材１Ｂとにより枠組状に形成される。前記底枠体１上には網板状の底部材２が敷設されている。そして底枠体１の両側部上で起立・横倒自在（折畳み自在）な左右一対の側枠体３が設けられている。これら側枠体３は網板状であって、その下部でかつ前後一対に設けられた連結体１０を介して底枠体１側に対して回動自在に連結されている。
【００２７】
すなわち前記連結体１０は板状であって、側枠体３の下部外面に連結される縦板部１１と、この縦板部１１の下部から内方向へ直角状に曲げ連設された横板部１２とにより、正面視においてＬ字状（逆Ｌ字状）に曲げ形成されている。さらに横板部１２の内端部分が、底部材２の前後方向線材２ａを抱え込む状態の反転曲げ部１３に形成されることで、この前後方向線材２ａの回りに、すなわち底枠体１側に対して回動自在（起立横倒自在）に連結されている。
【００２８】
そして連結体１０は、側枠体３を起立させたときに横板部１２の下面が前記底部材２上に上方から当接するように形成され、また側枠体３を横倒させたときに、横板部１２の長さに相当して底部材２の端部上方を開放するように形成されている。
【００２９】
前記側枠体３の下部から、起立時に底枠体１の側面外方に位置しかつ横倒時に脚体（後述する。）の上方から前後にずれて位置する規制体１５が連設されている。すなわち規制体１５はロッドをＵ字状に曲げることで形成され、前後一対のロッド部分からなる上半部が、前記連結体１０における縦板部１１の外面に当接して連結されている。そしてＵ字状の下半部は、側枠体３の下端から下方へ突出されて、側枠体３の起立時に底枠体１の側面外方に位置し、側枠体３の横倒時に底部材２の端部上方に位置するように形成されている。これにより規制体１５は、連結体１０の縦板部１１に連結されて前後一対に設けられる。
【００３０】
前記底枠体１の下部両側には、それぞれ前後一対の脚体１７が垂設され、これら脚体１７の下部で左右方向の外側には、下面解放でかつ前後方向で溝状の嵌合部１８が形成されている。そして側枠体３の起立状態では、嵌合部１８を介して側枠体３の上部に上方から嵌合させることで段積み自在としている。
【００３１】
ここで前後一対の脚体１７と前後一対の規制体１５とは、両脚体１７の前後で対向する前後内側面間隔Ｗ１が両規制体１５の前後の外側面間隔Ｗ２よりも大に、すなわちＷ１＞Ｗ２に設定されている。さらに規制体１５は、側枠体３の横倒時に前後の脚体１７の上方から前後の内側にずれて位置されるように配置されている。また脚体１７の左右で対向する左右内側面間隔Ｗ３は、図６の仮想線で示すように、側枠体３を横倒させたときの連結体１０の横倒時外端面間隔Ｗ４よりも大に、すなわちＷ３＞Ｗ４に設定されている。
【００３２】
前記側枠体３を起立させた状態で、その前部間に着脱自在な前枠体４と、その後部間に着脱自在な後枠体５とが設けられている。そして前枠体４ならびに後枠体５を両側枠体３に着装（連結）させるために、これらの相対向する縁部間に、それぞれ（合計８個）係止具７が設けられる。これら係止具７は、本体７ａを前枠体４ならびに後枠体５に配置したカンヌキ形式であって、本体７ａに支持案内される作動杆７ｂが側枠体３側の被係合部７ｃに対して係脱自在となる。これにより、両側枠体３に対する前枠体４ならびに後枠体５の着装は、それぞれ左右両側でかつ上下一対の係止具７により行える。
【００３３】
そして着装の際には、前枠体４ならびに後枠体５の下部で左右一対に設けられたフック状の位置決め具８が、底部材２における前後端の左右方向線材２ｂに対して、内側かつ下側から係合されるように構成されている。なお、前枠体４ならびに後枠体５は網板状に形成されている。
【００３４】
以下に、上記した実施の形態における作用を説明する。
図１〜図４は所期の組み立てを行った使用可能な運搬容器２０を示している。ここで組み立ては、まず図６の実線や図７で示すように底枠体１上に横倒させた状態の側枠体３を、図５や図６の仮想線で示すように連結体１０を介して起立させて、横板部１２の下面を前記底部材２上に上方から当接させるとともに、縦板部１１に一体化された規制体１５の下半部を底枠体１の側面外方に位置させる。
【００３５】
次いで前枠体４と後枠体５における位置決め具８を、底部材２における前後端の左右方向線材２ｂに対して内側かつ下側から係合させた状態で、これら前枠体４と後枠体５を起立状に位置させる。そして、各係止具７の作動杆７ｂを側枠体３側の被係合部７ｃに係合させることで、両側枠体３に対する前枠体４ならびに後枠体５の着装を行え、以て運搬容器２０を組み立て得る。
【００３６】
このような組み立て状態において運搬容器２０は、連結体１０の横板部１２を底部材２上に当接させていることで、側枠体３の起立姿勢は好適に維持し得る。また規制体１５の下半部を底枠体１の側面外方に位置させていることで、この規制体１５を、見栄えがよく、かつ他物と引っ掛かり難い位置にし得る。
【００３７】
上記の運搬容器２０は、各枠体１，３，４，５により形成される収納空間を利用して物品などの被運搬物を収納し得る。その際に収納空間に対する被運搬物の出し入れは、上面の開放部を利用して、または係止具７の離脱によって、前枠体４や後枠体５を位置決め具８の部分を支点として外方へ横倒させるか、前枠体４や後枠体５を完全に分離させることで、前後の開放部を利用して行える。このとき、各枠体１，３，４，５が網板状（メッシュ状）であることから、収納した被運搬物が見えて容易に確認し得、また水捌けのよいものにし得る。
【００３８】
そして運搬容器２０は、脚体１７を介して着地し得、さらに脚体１７間のスペースにフォークを作用させることで、フォークリフトにより運搬し得る。また図２の仮想線や図３の仮想線で示すように、下位の運搬容器２０における側枠体３の上縁に、上位の運搬容器２０における脚体１７の嵌合部１８を上方から嵌合させることで、順次複数段に積上げを行える。その際に下位の運搬容器２０は、側枠体３を介して上位の運搬容器２０の荷重を支持するのであり、このとき側枠体３は、連結体１０の存在により安定した起立姿勢となり、積上げによる支持は好適に行える。
【００３９】
上記のような運搬容器２０を折畳むとき、まず係止具７を外し、図５や図６の実線に示すように、側枠体３間から前枠体４や後枠体５を分離させる。次いで図６の実線や図７に示すように、連結体１０の反転曲げ部１３を支点として両側枠体３を内方に折畳んで、底部材２の上に重ねることで所期の折畳みを終える。
【００４０】
このような側枠体３の折畳み（横倒）によって連結体１０は、反転曲げ部１３を最外端として横倒時外端面間隔Ｗ４が脚体１７の左右内側面間隔Ｗ３内に納まる状態になり、以て横板部１２の長さに相当して底部材２の端部上方を開放し得る。また連結体１０と一体に折畳み移動した規制体１５は、そのＵ字状の下半部が、開放された底部材２の端部上方に位置している。
【００４１】
このようにして折畳んだ運搬容器２０は図８〜図１２に示すように、下位の運搬容器２０における開放された底部材２の端部上に上位の運搬容器２０における脚体１７を載置させることで、順次積上げて保管し得る。その際に、両脚体１７の前後内側面間隔Ｗ１が両規制体１５の外側面間隔Ｗ２よりも大であることから、下位の運搬容器２０における両規制体１５の外側に上位の運搬容器２０における脚体１７が位置された状態で載置し得る。したがって積上げ状態において、下位の運搬容器２０に対して上位の運搬容器２０が前後方向での位置ずれしようとしたとき、下位の運搬容器２０における両規制体１５の外面に対する上位の運搬容器２０における脚体１７の当接により、その前後方向の位置ずれを阻止し得る。
【００４２】
さらに、脚体１７の左右内側面間隔Ｗ３が連結体１０の横倒時外端面間隔Ｗ４よりも大であることから、下位の運搬容器２０における折畳んだ側枠体３の外側に上位の運搬容器２０における脚体１７が位置された状態で載置し得る。したがって積上げ状態において、下位の運搬容器２０に対して上位の運搬容器２０が左右方向での位置ずれしようとしたとき、下位の運搬容器２０における側枠体３（連結体１０）の外面に対する上位の運搬容器２０における脚体１７の当接により、その左右方向の位置ずれを阻止し得る。
【００４３】
これらのことにより、折畳んだ運搬容器２０の積上げは、左右方向や前後方向に位置ずれすることなく安定して行える。なお、側枠体３間から離脱させた前枠体４や後枠体５は、別個に積上げて保管し得る。ここで前枠体４と後枠体５は同一状の構成であることから、再び運搬容器２０を組み立てる際には、その前後を入れ替えたとしても何ら支障ないものとなる。
【００４４】
上述したように折畳んだ運搬容器２０を順次積上げるに際し、図１０の仮想線に示すように、左右の脚体１７間のスペースにフォークリフトのフォークＦを作用させ、このフォークＦを介して上位の運搬容器２０を、その先行側を上位として傾斜させた状態で、下位の運搬容器２０の上方で前進Ａさせる。
【００４５】
すると、先行側の上位の脚体１７ａは下位の運搬容器２０における規制体１５の上方を通過するが、後続側の下位の脚体１７ｂは下位の運搬容器２０における規制体１５に当接し、以て下位の運搬容器２０に対して上位の運搬容器２０を位置決めし得る。この状態でフォークＦを介して上位の運搬容器２０を水平状に戻し、そしてフォークＦを下降させることで、上位の運搬容器２０を、その脚体１７ａ，１７ｂを介して積上げ得る。このような操作によって、下位の運搬容器２０に対して上位の運搬容器２０を容易に位置決めして積上げ得る。
【００４６】
上記した実施の形態では、底枠体１の下部両側に、それぞれ前後一対の脚体１７を設け、規制体１５を、横倒時に前後の脚体１７の上方から前後の内側にずれて位置させた形式が示されているが、これは前後の脚体間に亘って嵌合部を形成し、そして規制体を前後の脚体の上方から前後の外側にずれて位置させた形式などであってもよい。
【００４７】
上記した実施の形態では、規制体１５を前後一対に設けた形式が示されているが、これは前後方向に長い１個の規制体を設けた形式などであってもよい。
上記した実施の形態では、連結体１０を、側枠体３の下部に連結される縦板部１１と、この縦板部１１の下部から内方向へ直角状に曲げ連設された横板部１２とにより形成した形式が示されているが、これは連結体を横板状として、側枠体の下部から内方向へ直角状に連設し、その内端部分を底枠体側に対して回動自在に連結した形式などであってもよい。また側枠体３の下部を内方向へ直角状に曲げ連設して、この曲げ連設部分を連結体とし、その内端部分を底枠体側に対してコイル状の連結具により回動自在に連結した形式などであってもよい。
【００４８】
上記した実施の形態では、一枚物の前枠体４と後枠体５とを設けた形式が示されているが、これは前枠体と後枠体との少なくとも一方を中折れ形状とした形式などであってもよい。
【００４９】
上記した実施の形態では、起立させた側枠体３の前部間に着脱自在な一枚物の前枠体４と、起立させた側枠体３の後部間に着脱自在な一枚物の後枠体５とを設けた形式が示されているが、これは前枠体４や後枠体５の少なくとも一方を、コイル状の連結具によって側枠体３や底枠体１に折畳み自在に連結した形式などであってもよい。
【図面の簡単な説明】
【００５０】
【図１】本発明の実施の形態を示し、折畳み自在な運搬容器の組み立て時の一部切り欠き斜視図である。
【図２】同折畳み自在な運搬容器の組み立て時の正面図である。
【図３】同折畳み自在な運搬容器の組み立て時の側面図である。
【図４】同折畳み自在な運搬容器の組み立て時の平面図である。
【図５】同折畳み自在な運搬容器の前、後枠体取り外し時の一部切り欠き斜視図である。
【図６】同折畳み自在な運搬容器の前、後枠体取り外し時の正面図である。
【図７】同折畳み自在な運搬容器を折畳んだ時の一部切り欠き斜視図である。
【図８】同折畳み自在な運搬容器の段積み状態を示す一部切り欠き斜視図である。
【図９】同折畳み自在な運搬容器の段積み状態を示す正面図である。
【図１０】同折畳み自在な運搬容器の段積み状態を示す側面図である。
【図１１】同折畳み自在な運搬容器の段積み状態における要部の一部切り欠き正面図である。
【図１２】同折畳み自在な運搬容器の段積み状態における要部の一部切り欠き平面図である。
【符号の説明】
【００５１】
１    底枠体
２    底部材
２ａ  前後方向線材
２ｂ  左右方向線材
３    側枠体
４    前枠体
５    後枠体
７    係止具
８    位置決め具
１０    連結体
１１    縦板部
１２    横板部
１３    反転曲げ部（内端部分）
１５    規制体
１７    脚体
１８    嵌合部
２０    運搬容器
Ｆ    フォーク
Ｗ１  両脚体１７の前後内側面間隔
Ｗ２  両規制体１５の外側面間隔
Ｗ３  脚体１７の左右内側面間隔
Ｗ４  連結体１０の横倒時外端面間隔
【図１】
2005067688.tif 000003
【図２】
2005067688.tif 000004
【図３】
2005067688.tif 000005
【図４】
2005067688.tif 000006
【図５】
2005067688.tif 000007
【図６】
2005067688.tif 000008
【図７】
2005067688.tif 000009
【図８】
2005067688.tif 000010
【図９】
2005067688.tif 000011
【図１０】
2005067688.tif 000012
【図１１】
2005067688.tif 000013
【図１２】
2005067688.tif 000014